(57)【要約】【課題】パネルのエッジ側からでも照明を容易に視認できるパネル照明構造およびデスクトップオーディオ機器を提供する。【解決手段】半透明のパネルと、パネルに対向して設けられた発光部とを有し、パネルの発光部に対向する位置に凹部を形成する。これにより、前記発光部の間接光がパネルの発光部に対向する方向から加えられ、直交する方向から視認しやすくなる。また、デスクトップオーディオ機器は、このような構造を有するパネルを、筐体の上面にコントロールパネルとして備えた。【選択図】図１
2014089824.tif 000002
【特許請求の範囲】
【請求項１】
半透明のパネルと、該パネルに対向して設けられた発光部と、を有し、
前記パネルの前記発光部に対向する位置に凹部を形成したことにより、前記発光部の間接光を前記パネルの前記発光部に対向する方向に加えて該方向と直交する方向から視認しやすくしたことを特徴とするパネル照明構造。
【請求項２】
前記パネルは、ユーザによる視認方向に対して横または斜め向きに設置される請求項１に記載のパネル照明構造。
【請求項３】
前記凹部は、前記視認方向と反対側の側面が、前記視認方向へ傾けて形成されている請求項２に記載のパネル照明構造。
【請求項４】
請求項１乃至請求項３の何れかに記載の照明構造を有するパネルを上面に備えたデスクトップオーディオ機器。
【発明の詳細な説明】
【技術分野】
【０００１】
この発明は、筐体の上面に設けられたパネルの照明を上面に加えて上面と直交する正面方向からでも見やすくしたパネル照明構造に関する。
【背景技術】
【０００２】
小型のオーディオ機器には、正面にコントロールパネルを設けるスペースがないため、コントロールパネルを上面に設けたものがある（たとえば特許文献１）。ユーザは、再生される楽音を聴くためにオーディオ機器の正面に位置していることが一般的であるため、上面にコントロールパネルが設けられている場合、コントロールパネルは横（エッジ側）から見ることになる。
【先行技術文献】
【特許文献】
【０００３】
【特許文献１】特開２０１２−０８０４８１号公報
【発明の概要】
【発明が解決しようとする課題】
【０００４】
コントロールパネルには、電源オンなどの動作状態をユーザに知らせるためのインジケータが設けられている。インジケータはたとえばＬＥＤなどの発光素子であるが、近年はデザインを重視するため、直接ＬＥＤをパネルから露出させず、パネルの背面からバックライトととしてパネルを照明する構造にしたものがある。
【０００５】
このようなバックライトは、パネルの正面方向すなわち機器の上方向からは容易に視認できるが、機器の正面方向すなわちパネルのエッジ方向からは視認が困難で、電源オンしているか否かなどの動作状況が判りにくいという欠点があった。
【０００６】
この発明は、パネルのエッジ側からでも照明を容易に視認できるパネル照明構造およびデスクトップオーディオ機器を提供することを目的とする。
【課題を解決するための手段】
【０００７】
本発明のパネル照明構造は、半透明のパネルと、該パネルに対向して設けられた発光部と、を有し、前記パネルの前記発光部に対向する位置に凹部を形成したことにより、前記発光部の間接光を前記パネルの前記発光部に対向する方向に加えて該端面を直交する方向から視認しやすくしたことを特徴とする。
【０００８】
前記パネルが、ユーザによる視認方向に対して横または斜め向きに設置されるものであってもよい。
【０００９】
また、前記凹部の前記視認方向と反対側の側面が、前記視認方向へ傾けて形成されていてもよい。
【００１０】
本発明のデスクトップオーディオ機器は、上記照明構造を有するパネルを上面に備えたことを特徴とする。
【発明の効果】
【００１１】
この発明によれば、パネルのエッジ側からでも発光部が点灯していることを容易に視認することが可能になる。
【図面の簡単な説明】
【００１２】
【図１】この発明が適用されるデスクトップオーディオ機器の斜視図
【図２】同デスクトップオーディオ機器の側面図
【図３】同デスクトップオーディオ機器のコントロールパネル付近の断面図
【図４】パネル板の比較例を示す図
【図５】パネル板の実施形態の変形例を示す図
【発明を実施するための形態】
【００１３】
図１はこの発明が適用されるデスクトップオーディオ機器１の斜視図である。図２は、同デスクトップオーディオ機器１の側面図である。このデスクトップオーディオ機器１は、八角錐台を横に倒したような形状の筐体１０を有しており、八角錐台の底面にあたる正面のほぼ全面がスピーカパネル１１になっている。また、筐体１０の上面は、一部が八角錐台の側面から突出した形状になっており、この突出部にコントロールパネル１２が形成されている。コントロールパネル１２には、樹脂性のパネル板２がはめ込まれている。パネル板２は、正面側の一部が半透明の被照明部２Ａとなっており、背面側がボタン配置部２Ｂとなっている。ボタン配置部２Ｂには、複数のボタン（キートップ）２５が設けられている。また、筐体１０の底面には複数の脚１３が設けられている。
【００１４】
図２において、筐体１０内部の正面側、スピーカパネル１１の内側には、メインスピーカ３Ａおよび小型のサブスピーカ３Ｂが設けられている。また、筐体１０の内部底面側には、電源回路、オーディオ回路を含む電子回路が実装された第一基板４が設けられ、コントロールパネル１２の内側には、コントローラおよび通信部を含む電子回路が実装された第二基板５が設けられている。このデスクトップオーディオ機器１は、Ｂｌｕｅｔｏｏｔｈ（登録商標）などの無線通信でポータブルオーディオ機器と通信して、オーディオ信号を受信し、このオーディオ信号を増幅してスピーカ３（３Ａ，３Ｂ）から放音する。
【００１５】
図３は、コントロールパネル１２付近の側断面を示す図である。パネル板２の直下には第二基板５が設けられている。パネル板２と第二基板５との間隔は、キートップ２５およびタクトスイッチ５１の高さに依存する。このデスクトップオーディオ機器１の場合、ボタン操作のストロークとクリック感を実現するため、数ミリメートルの高さのあるタクトスイッチ５１が用いられており、パネル板２と第二基板５との間隔は約１ｃｍの間隔が開いている。
【００１６】
第二路基板５上にＬＥＤ５０が実装されている。ＬＥＤ５０は、位置決め精度を高くするため、砲弾型を用いずに基板実装型のものが用いられている。ＬＥＤ５０はパネル板２の被照明部２１に向けて光を照射するように実装されている。そして、パネル板２の被照明部２１のＬＥＤ５０に対向する位置には、凹部２１が形成されている。凹部２１は、ＬＥＤ５０の照射径とほぼ同じ径を有し、パネル板２の厚みの略半分の深さを有する円筒状の窪みである。
【００１７】
デスクトップオーディオ機器１の電源がオンされるとＬＥＤ５０が点灯する。ＬＥＤ５０が点灯すると、その光が凹部２１に入射し、凹部の上面および側面、すなわち境界面または端面でパネル板２に当たって拡散する。この拡散光（間接光）は、パネル板２の上面から容易に視認可能であるとともに、パネル板２の厚みの中央付近の境界面または端面で強く拡散するため、横方向（筐体１０の前面方向）のエッジ２２からも容易に視認可能である。なお、パネル板２の前面側のエッジ２２は、斜め上向きにカットされており、パネル板２内部の光が見やすくなっている。
【００１８】
デスクトップオーディオ機器１の正面側に居るユーザは、パネル板２の上面が照らされている光は、機器１の上方へ移動しなければ視認しずらいが、エッジ２２から見えるパネル板２内部の光は、そのままの位置で容易に視認することができる。すなわち、ＬＥＤ５０に対向する位置に凹部２１を設け、パネル板２の内部でＬＥＤ５０の光を拡散させたことにより、光の拡散がパネル板２の厚みの中央付近で起きるため、ユーザがエッジ２２側から見た場合でも、その光を視認することが容易になる。
【００１９】
図４は比較例を示す図である。この例は、パネル板２のＬＥＤ５０に対向する位置に凹部が形成されていない例を示している。この例では、ＬＥＤ５０の光の拡散はパネル板２の下面付近で生じるため、且つ（エッジ２２と対向するパネル板２の厚みの中央付近に）凹部の側面や上面（境界面/端面）が存在しないため、エッジ２２側からＬＥＤ５０の光（間接光）を明瞭に視認することができない。
【００２０】
図５は、凹部２１の変形例を示す図である。図５の変形例では、凹部２１のエッジ側の側面２１Ａに積極的に光を入射させるため、凹部２１のエッジ２２と反対側に、傾斜部２１Ｂを形成した。ＬＥＤ５０の光が凹部２１に入射すると、傾斜部２１Ｂで反射し、エッジ２２側の側面２１Ａに入射して、より多くの光がエッジ２２へ伝搬される。これにより、エッジ２２からは、凹部２１付近で拡散する光とともに、傾斜部２１Ｂで反射してエッジ２２へ直接伝搬する光が到達するため、ユーザによる視認性がより良好になる。
【００２１】
なお、傾斜部２１Ｂの形状に制限はないが、ＬＥＤ５０の光を拡散させずに束にしてエッジ２２方向に導くには、放物面など凹面の形状が好適である。
【００２２】
なお、この発明は、デスクトップオーディオ機器１上面に設けられたパネル板２に限定されるものではない。ユーザがエッジ側から見る位置に設けられるパネル全般に適用可能である。
【符号の説明】
【００２３】
１  デスクトップオーディオ機器
２  パネル板
２Ａ  被照明部
２１  凹部
２２  エッジ
５０  ＬＥＤ
【図１】
2014089824.tif 000003
【図２】
2014089824.tif 000004
【図３】
2014089824.tif 000005
【図４】
2014089824.tif 000006
【図５】
2014089824.tif 000007